(57)【特許請求の範囲】
【請求項１】
送信指示に基づいて、記憶部に記憶された複数ファイルの画像データを、ネットワークを介して接続された所定の複数の画像データ受信装置に送信する画像データ送信装置であって、
送信先となる画像データ受信装置を特定する送信先データ、送信が指示された時刻を示す時刻データおよび送信の優先度を示す優先度データを、記憶部内の送信される複数の画像データのファイルに対応付けて記憶する記憶手段と、
送信先ごとの画像データのファイルに対する送信順位を、前記時刻データおよび前記優先度データに基づいて設定する設定手段と、
複数の送信先に対応する複数ファイルの画像データを、設定された送信先ごとの送信順位に従い並列して送信するよう制御する送信制御手段とを備えることを特徴とする画像データ送信装置。
【請求項２】
前記優先度データにより少なくとも２段階の優先度が設定され、
前記設定手段は、高い優先度のファイルの画像データの送信が、新たに指示された時刻から過去所定の時間内に指示された通常の優先度のファイルの画像データの送信に先立って行われるように、送信先ごとの画像データのファイルに対する送信順位を設定する請求項１に記載の画像データ送信装置。
【請求項３】
前記優先度データにより少なくとも２段階の優先度が設定され、
前記設定手段は、送信指示の後送信を待つすべての通常の優先度のファイルの画像データの送信に先立って、新たに指示された高い優先度のファイルの画像データの送信が行われるように、送信先ごとの画像データのファイルに対する送信順位を設定する請求項１に記載の画像データ送信装置。
【請求項４】
送信指示に基づいて、記憶部に記憶された複数ファイルの画像データを、ネットワークを介して接続された所定の複数の画像データ受信装置に送信する画像データ送信方法であって、
送信先となる画像データ受信装置を特定する送信先データ、送信が指示された時刻を示す時刻データおよび送信の優先度を示す優先度データを、記憶部内の送信される複数の画像データのファイルに対応付けて記憶するステップと、
送信先ごとの画像データのファイルに対する送信順位を、前記時刻データおよび前記優先度データに基づいて設定するステップと、
複数の送信先に対応する複数ファイルの画像データを、設定された送信先ごとの送信順位に従い並列して送信するよう制御するステップとを含むことを特徴とする画像データ送信方法。
【請求項５】
送信指示に基づいて、記憶部に記憶された複数ファイルの画像データを、ネットワークを介して接続された所定の複数の画像データ受信装置に送信するためのプログラムを記録したコンピュータ読み取り可能な記録媒体であって、コンピュータを、
送信先となる画像データ受信装置を特定する送信先データ、送信が指示された時刻を示す時刻データおよび送信の優先度を示す優先度データを、記憶部内の送信される複数の画像データのファイルに対応付けて記憶する記憶手段と、
送信先ごとの画像データのファイルに対する送信順位を、前記時刻データおよび前記優先度データに基づいて設定する設定手段と、
複数の送信先に対応する複数ファイルの画像データを、設定された送信先ごとの送信順位に従い並列して送信するよう制御する送信制御手段として機能させるためのプログラムを記録したコンピュータ読み取り可能な記録媒体。
【請求項６】
送信指示に基づいて、記憶部に記憶された複数ファイルの画像データを送信する画像データ送信装置、および、ネットワークを介して前記画像データ送信装置に接続され、送信される画像データを受信する複数の画像データ受信装置を含む画像データ送受信システムであって、
前記画像データ送信装置は、
送信先となる画像データ受信装置を特定する送信先データ、送信が指示された時刻を示す時刻データおよび送信の優先度を示す優先度データを、記憶部内の送信される複数の画像データのファイルに対応付けて記憶する記憶手段と、
送信先ごとの画像データのファイルに対する送信順位を、前記時刻データおよび前記優先度データに基づいて設定する設定手段と、
複数の送信先に対応する複数ファイルの画像データを、設定された送信先ごとの送信順位に従い並列して送信するよう制御する送信制御手段とを備え、
前記画像データ受信装置は、
送信される画像データを記憶する記憶手段と、
プリントが指示されているか否かを判定する判定手段と、
プリントが指示されていると判定された際に、記憶されている画像データに基づくプリントを行うプリント手段とを備えることを特徴とする画像データ送受信システム。
【請求項７】
送信指示に基づいて、記憶部に記憶された複数ファイルの画像データを送信する画像データ送信装置、および、ネットワークを介して前記画像データ送信装置に接続され、送信される画像データを受信する複数の画像データ受信装置を用いる画像データ送受信方法であって、
前記画像データ送信装置にて、
送信先となる画像データ受信装置を特定する送信先データ、送信が指示された時刻を示す時刻データおよび送信の優先度を示す優先度データを、記憶部内の送信される複数の画像データのファイルに対応付けて記憶するステップと、
送信先ごとの画像データのファイルに対する送信順位を、前記時刻データおよび前記優先度データに基づいて設定するステップと、
複数の送信先に対応する複数ファイルの画像データを、設定された送信先ごとの送信順位に従い並列して送信するよう制御するステップとを含み、
前記画像データ受信装置にて、
送信される画像データを記憶するステップと、
プリントが指示されているか否かを判定するステップと、
プリントが指示されていると判定された際に、記憶されている画像データに基づくプリントを行うステップとを含むことを特徴とする画像データ送受信方法。
【発明の詳細な説明】
【０００１】
【発明の属する技術分野】
本発明は、ネットワークを介して接続された画像データ送信装置と画像データ受信装置との間で画像データを送受信する、画像データ送受信の技術に関する。
【０００２】
【従来の技術】
写真に関するサービスを提供する分野では、写真撮影者によって、カメラのフィルム、デジタルカメラのメモリカードがミニラボショップに持ち込まれ、ミニラボショップ内に設置された所定のプリント制御装置によって、フィルムおよびメモリカードによる画像データに基づいての写真の現像、プリント等が行われている。
【０００３】
従来より、これらのプリント制御装置、一般家庭内に設置されるパーソナルコンピュータ（以下ＰＣとする）、および、プリント制御装置またはＰＣからアップロードされる画像データを集中的に管理する所定の画像管理装置がインターネットを介して接続されており、これらの接続によって画像管理システムが形成されている。
【０００４】
特に、このような画像管理システムでは、集中管理のために画像管理装置にアップロードされた、複数の写真撮影者（ＰＣを操作するユーザ）の画像データが、ＰＣからの指示に基づいて画像管理装置からプリント制御装置にダウンロードされ、ＰＣのユーザは所望の写真の（再）プリントを簡便に行わせることができることとなっている。
【０００５】
【発明が解決しようとする課題】
しかしながら、上述のような画像管理システムでは、大人数のユーザのための大量の画像データが画像管理装置から（ミニラボショップ内の）プリント制御装置に送信されるため、狭い帯域幅（数１０〜１００Ｋｂｐｓ前後）の通信回線を用いる場合、これらの画像データの通信に要する時間は多大なものとなっている。
【０００６】
画像管理装置、プリント制御装置間に広い帯域幅（数Ｍｂｐｓ程度）の通信回線を導入することにより、通信時間を短縮化させることができるものの、操作者が不在の夜間やプリントの注文がないときに回線は有効に利用されず、通信費用に比しての効果を十分に上げることができるほど広い帯域幅の通信回線を有効に利用することは容易ではない。
【０００７】
本発明は、上記のような問題点を考慮してなされたものであり、その目的は、画像データ受信装置側で比較的狭い帯域幅の通信回線を有効に利用して、画像データを効率的に送受信することのできる画像データ送受信システムおよび方法を提供することである。
【０００８】
【課題を解決するための手段】
上記の目的を達成するための本発明に係る画像データ送信装置は、送信指示に基づいて、記憶部に記憶された複数ファイルの画像データを、ネットワークを介して接続された所定の複数の画像データ受信装置に送信する画像データ送信装置である。
【０００９】
本画像データ送信装置では、送信先となる画像データ受信装置を特定する送信先データ、送信が指示された時刻を示す時刻データおよび送信の優先度を示す優先度データが、記憶部内の送信される複数の画像データのファイルに対応付けられて記憶され、送信先ごとの画像データのファイルに対する送信順位が、前記時刻データおよび前記優先度データに基づいて設定され、複数の送信先に対応する複数ファイルの画像データが、設定された送信先ごとの送信順位に従い並列して送信されるよう制御される。
【００１０】
また、本発明に係る画像データ送受信システムは、送信指示に基づいて、記憶部に記憶された複数ファイルの画像データを送信する画像データ送信装置、および、ネットワークを介して前記画像データ送信装置に接続され、送信される画像データを受信する複数の画像データ受信装置を含む画像データ送受信システムである。
【００１１】
本画像データ送受信システムの画像データ送信装置では、送信先となる画像データ受信装置を特定する送信先データ、送信が指示された時刻を示す時刻データおよび送信の優先度を示す優先度データが、記憶部内の送信される複数の画像データのファイルに対応付けて記憶され、送信先ごとの画像データのファイルに対する送信順位が、前記時刻データおよび前記優先度データに基づいて設定され、複数の送信先に対応する複数ファイルの画像データが、設定された送信先ごとの送信順位に従い並列して送信されるよう制御される。画像データ受信装置では、送信される画像データが記憶され、プリントが指示されていると判定された際に、記憶されている画像データに基づくプリントが行われる。
【００１２】
【発明の実施の形態】
以下、図面を参照しつつ、本発明の実施の形態の１つである画像処理システムについて説明する。
【００１３】
図１は本発明の実施の形態の１つである画像処理システムの全体構成を示す図である。
【００１４】
本画像処理システムには、一般家庭内に設置されユーザから画像のプリントの指示等を受け付けるＰＣ２と、ミニラボショップ内に設置され写真の現像、プリント等を行うプリンタ４を制御するプリント制御装置３、ＰＣ２またはプリント制御装置３から送信される画像データを集中的に管理する画像管理装置１とが含まれており、画像管理装置１、ＰＣ２およびプリント制御装置３はインターネット５を介して接続されている。
【００１５】
ここでは、特に、プリント制御装置３が複数のミニラボショップの各々に設置されることを想定し、以下では、画像管理装置１からこれら複数のプリント制御装置３に対して画像データが送信される際の、画像データの送受信方法について説明する。
【００１６】
図２は本画像処理システムに含まれる画像管理装置１（ＰＣ２についても同様）のハードウェア構成を示すブロック図であり、図３はプリント制御装置３のハードウェア構成を示すブロック図である。
【００１７】
図２に示すように、画像管理装置１（およびＰＣ２）は、通常用いられるプログラム記憶式コンピュータであり、キーボード、マウス等を含みユーザからの入力を受け付ける入力部１２と、ユーザに対して表示を行う表示部１４と、インターネット５を介してデータの送受信を行うための通信制御部１６と、プログラムおよびデータを記憶する補助記憶部（ＨＤＤ）１５と、プログラムおよびデータを一時的に記憶する主記憶部（ＲＡＭ）１１と、入力部１２、表示部１４、補助記憶部１５および通信制御部１６を制御しつつ主記憶部１１上のプログラムを実行する制御部（ＣＰＵ）１３とを含んでいる。
【００１８】
また、図３に示すように、プリント制御装置３は、画像管理装置１と同様、入力部３２、表示部３４、通信制御部３６、補助記憶部３５、主記憶部３１、制御部３３を含み、さらに、プリンタ４とのインターフェースとなりプリンタ４を制御するためのプリンタ制御部３７を含んでいる。
【００１９】
実際には、これらのハードウェアの画像管理装置１およびプリント制御装置３をＷｅｂサーバ、データベースサーバ等として動作させるためのソフトウェアが所定のＯＳ上にインストールされており、ＰＣ２にはＷｅｂブラウザ、（所定のインターフェースとなるハードウェアを用いて）デジタルカメラから画像データを取得するためのプログラムがインストールされており、また、プリント制御装置３にはプリンタ４での現像、プリントを指示するための専用のプログラムがインストールされている。次に図４〜図１１にその詳細を示す画像管理装置１でのデータ送信処理およびプリント制御装置３でのデータ受信処理は、これらのソフトウェアの使用が伴われて実行されるものである。
【００２０】
図４は画像管理装置１にて実行されるデータ送信処理プログラム１００の構成を示すブロック図である。図５はデータ送信処理の手順を示すフローチャートであり、図６〜図８はデータ送信処理にて更新されつつ用いられる送信指示テーブルを示す図である。特に図５に示すデータ送信処理は１つの送信先に対して実行されることを想定するものであり、実際にはこれらのデータ送信処理が複数の送信先の各々に対して同時に並列して実行される。
【００２１】
本画像処理システムでは、たとえば、５台のプリント制御装置に各６４Ｋｂｐｓの通信速度で同時に画像データが受信されるとき、画像管理装置からは計（６４×５）Ｋｂｐｓの通信速度で５つの画像データが同時に並列して送信され、１５台のプリント制御装置に各６４Ｋｂｐｓの通信速度で同時に画像データが受信されるとき、画像管理装置からは計（６４×１５）Ｋｂｐｓの通信速度で１５の画像データが同時に並列して送信される。複数の画像データによる通信速度が、画像管理装置からインターネットへの通信回線の容量を越える場合には、数秒または数分ごとに、送信先となるプリント制御装置が変更されるものとすることができる。
【００２２】
図４に示すように、画像管理装置１でのデータ送信処理プログラム１００の実行に際して、補助記憶部１５では、ＰＣ２またはプリント制御装置３から送信された画像データ１５２があらかじめ記憶されており、また、複数のプリント制御装置の各々への画像データの送信指示が（後に図６〜図８に例を示すような）送信指示テーブル１５１上に記憶される。
【００２３】
データ送信処理プログラム１００は、入力部１２から入力されたプリント制御装置３に対する送信指示を、補助記憶部１５内の送信指示テーブル１５１に登録するための送信指示登録部１０１と、プリント制御装置３の各々に対して画像データの送信順位を設定するための送信画像データ設定部１０２と、送信順位が最も高い画像データを補助記憶部１５から読み出す画像データ読み出し部１０３と、通信制御部１６に対して読み出された画像データの送信を指示する画像データ送信指示部１０４と、送信指示テーブル１５１を更新する送信指示テーブル更新部１０５とを含んでいる。
【００２４】
図５に示すように、データ送信処理では、まず、送信指示登録部１０１（図４参照）により、画像管理装置１の操作者によって新たな画像データの送信が要求されたか否かが判定される（ＳＴ１０１）。
【００２５】
新たな画像データの送信が要求されれば（ＳＴ１０１にてＹｅｓ）、送信指示登録部１０１により、さらに、操作者による画像データの送信指示の入力が受け付けられ（ＳＴ１０２）、入力された送信指示および送信指示が入力された時刻が送信指示テーブル１５１に登録され（ＳＴ１０３）、送信画像データ設定部１０２により、（送信が指示されたものの実行されていない）待機中の画像データのうちで、送信先ごとの送信順位が設定される（ＳＴ１０４）。（ここでは、ＳＴ１０２にて送信指示が入力部１２を介して入力されることを想定しているが、たとえばＰＣ２からこれらの送信指示を含む送信指示ファイルが受信され、受信された送信指示ファイルにより送信指示が入力されるものとすることができる。）
続いて、画像データ読み出し部１０３により、送信順位１の画像データが読み出され（ＳＴ１０５）、画像データ送信指示部１０４により、読み出された画像データがプリント制御装置に送信され（ＳＴ１０６）、送信指示テーブル更新部１０５により、送信指示テーブル１５１中の処理の状態が更新され（ＳＴ１０７）、ＳＴ１０１へと処理が戻される。
【００２６】
実際、図６に示す送信指示テーブルでは、登録される送信指示は、登録順に登録番号によって管理され、送信先、送信される画像データのファイル名、処理の優先度を含んでおり、送信指示が行われた時刻が記録されており、また、これらの画像データの送信が行われたか、送信が行われているか、送信が行われていないかに応じて、"処理済"、"処理中"、"待機中"の状態が設定されている。
【００２７】
この送信指示テーブルでは、登録番号"０００１"〜登録番号"０００３"の送信指示に応じて、対応する画像データが送信先"ｓｈｏｐ１"にすでに送信されており、登録番号"０００４"の送信指示に応ずる画像データおよび登録番号"０００８"の送信指示に応ずる画像データがそれぞれ送信先"ｓｈｏｐ１"および"ｓｈｏｐ２"に対して送信中であり、登録番号"０００５"〜登録番号"０００７"の送信指示に応ずる画像データおよび登録番号"０００９"〜登録番号"００１１"の送信指示に応ずる画像データが送信を待っていることが示されており、さらに送信を待つ画像データに対して送信先"ｓｈｏｐ１"、送信先"ｓｈｏｐ２"ごとの送信順位が設定されている。
【００２８】
これらのような画像データの送信指示は、すべて"通常"の優先度で登録されることを想定しているが、図７、図８のように"高"、"最高"の優先度を設定することができる。
【００２９】
たとえば、後に指示された優先度"高"の画像データの送信が、この画像データの送信が受け付けられた３０分前までの、状態"待機中"の画像データのうち優先度が"通常"の画像データに優先して行われるものとし、後に指示された優先度"最高"の画像データの送信が、状態"待機中"のすべての画像データに優先して行われるものとすることができる。
【００３０】
図９はプリント制御装置３にて実行されるデータ受信処理プログラム２００の構成を示すブロック図である。図１０はデータ受信処理の手順を示すフローチャートであり、図１１はデータ受信処理にて更新されつつ用いられるプリント指示テーブルを示す図である。（図９のように、データの受信とプリントの実行とは別々に並列して実行されることを想定している。）図９に示すように、プリント制御装置３でのデータ受信プログラム２００の実行に際して、補助記憶部３５では、プリントのため画像データ３５１が記憶され、プリンタ４へのプリント指示が（後に図１１に例を示すような）プリント指示テーブル３５２上に記憶される。
【００３１】
データ受信処理プログラム２００は、通信制御部３６にて受信された画像データを、補助記憶部３５上に記憶するための画像データ格納制御部２０１と、画像データの受信に基づくプリント指示を、補助記憶部３５内のプリント指示テーブル３５２に登録するためのプリント指示登録部２０２と、受信された画像データのプリント順位を設定するためのプリント順位設定部２０３と、プリント指示テーブル３５２を更新するプリント指示テーブル更新部２０４とを含んでいる。
【００３２】
図１０に示すように、データ受信処理では、まず、画像データ格納制御部２０１（図９参照）により、新たな画像データの受信が画像管理装置１から要求されたか否かが判定される（ＳＴ２０１）。
【００３３】
新たな画像データの送信が画像管理装置１から要求されれば（ＳＴ２０１にて
Ｙｅｓ）、画像データが受信され（ＳＴ２０２）、受信された画像データが補助記憶装置３５に格納され（ＳＴ２０３）、プリント制御装置３に対するあらかじめの設定等により、プリントが指示されているか否かが判定される（ＳＴ２０４）。
【００３４】
プリントが指示されていなければ（ＳＴ２０４にてＮｏ）、ＳＴ２０１へと処理が戻され、プリントが指示されていれば（ＳＴ２０４にてＹｅｓ）、プリント指示登録部２０２により、プリント指示テーブル３５２にプリント指示が登録され（ＳＴ２０５）、ＳＴ２０６へと処理が移される。
【００３５】
また、新たな画像データの送信が画像管理装置１から要求されなければ（ＳＴ２０１にてＮｏ）、ＳＴ２０２〜ＳＴ２０５での処理は行われることなく、ＳＴ２０６へと処理が移される。
【００３６】
ＳＴ２０６では、プリント順位設定部２０３により、待機中の画像データのプリント順位が設定され、プリント処理部２０５により、設定されたプリント順位に基づくプリント処理がデータの受信に並列して実行されることとなり、画像データに基づくプリントが終了されたか否かに応じて、プリント指示テーブル３５２中の処理の状態が更新され（ＳＴ２０７）、ＳＴ２０１へと処理が戻される。
【００３７】
実際、図１１に示すプリント指示テーブルでは、登録されるプリント指示は、登録順に登録番号によって管理され、プリントされる画像データのファイル名、処理の優先度を含んでおり、プリント指示が行われた時刻が記録されており、また、これらの画像データのプリントが行われたか、プリントが行われているか、プリントが行われていないかに応じて、"処理済"、"処理中"、"待機中"の状態が設定されている。
【００３８】
さらに、このプリント指示テーブルでは、登録番号"０００１"〜登録番号"０００３"のプリント指示に応じて、対応する画像（写真）のプリントがすでに行われており、登録番号"０００４"の画像データに応ずる画像のプリントが実行中であり、登録番号"０００５"〜登録番号"００１２"のプリント指示に応ずる画像データがプリントを待っていることが示されている。
【００３９】
ここでは、プリント制御装置３が図８の送信指示テーブル中の送信先"ｓｈｏｐ２"に対応し、送信先"ｓｈｏｐ２"に対する送信順位に応じて画像データが受信され、これらに応じたプリント順位が設定され、順にプリントが行われていくことを想定しているが、プリント制御装置３側にて、これらのようなプリント順位に対する変更を受け付け、プリント制御装置３の操作者所望の順序でプリントを行わせるものとすることができる。
【００４０】
以上のように、本画像処理システムでは、画像管理装置からの複数のプリント制御装置に対する画像データの送信が、送信指示が行われた時刻および操作者が設定する優先度に応じて送信先ごとに設定された順序に基づいて並列して行われ、画像データを受信するためのプリント制御装置側での数１０〜１００Ｋｂｐｓ前後の通信回線が常時有効に利用されることとなり、プリント制御装置側にて比較的狭い帯域幅の通信回線が用いられつつ画像データが効率的に送受信されることとなる。
【００４１】
また、プリント制御装置側では、たとえば夜間に画像データの受信のみを行い昼間に画像データの受信およびプリントを行うものと設定することで、プリント制御装置のプリントを監視する操作者の都合に合わせることができ、より便利に画像データの送受信およびプリントを行うことができるものといえる。
【００４２】
【発明の効果】
請求項１、請求項４、請求項５、請求項６および請求項７に記載の発明によると、送信先ごとの画像データのファイルに対する送信順位を、送信が指示された時刻を示す時刻データおよび送信の優先度を示す優先度データに基づいて設定し、この送信先ごとの送信順位に従い画像データが送信され、かつ複数の送信先に対する送信する画像データが並列して送信されることとなり、（画像データ受信装置側にて）比較的狭い帯域幅の通信回線が用いられつつ、画像データが効率的に送受信できることとなる。
【００４３】
請求項２および請求項３に記載の発明によると、適切に設定される優先度を用いての、画像データの送受信が可能となり、（画像データ受信装置側にて）比較的狭い帯域幅の通信回線が用いられつつ、画像データが効率的に送受信できることとなる。
【図面の簡単な説明】
【図１】本発明の実施の形態の１つである画像処理システムの全体構成を示す図である。
【図２】本画像処理システムに含まれる画像管理装置１のハードウェア構成を示すブロック図である。
【図３】プリント制御装置３のハードウェア構成を示すブロック図である。
【図４】画像管理装置１にて実行されるデータ送信処理プログラム１００の構成を示すブロック図である。
【図５】データ送信処理の手順を示すフローチャートである。
【図６】データ送信処理にて更新されつつ用いられる送信指示テーブルを示す第１の図である。
【図７】データ送信処理にて更新されつつ用いられる送信指示テーブルを示す第２の図である。
【図８】データ送信処理にて更新されつつ用いられる送信指示テーブルを示す第３の図である。
【図９】プリント制御装置３にて実行されるデータ受信処理プログラム２００の構成を示すブロック図である。
【図１０】データ受信処理の手順を示すフローチャートである。
【図１１】データ受信処理にて更新されつつ用いられるプリント指示テーブルを示す図である。
【符号の説明】
１  画像管理装置
２  ＰＣ（パーソナルコンピュータ）
３  プリント制御装置
４  プリンタ
５  インターネット
１１、３１  主記憶部（ＲＡＭ）
１２、３２  入力部
１３、３３  制御部（ＣＰＵ）
１４、３４  表示部
１５、３５  補助記憶部
１６、３６  通信制御部
３７  プリンタ制御部
１００  データ送信処理プログラム
１０１  送信指示登録部
１０２  送信画像データ設定部
１０３  画像データ読み出し部
１０４  画像データ送信指示部
１０５  送信指示テーブル更新部
１５１  送信指示テーブル
１５２  画像データ
２００  データ受信処理プログラム
２０１  画像データ格納制御部
２０２  プリント指示登録部
２０３  プリント順位設定部
２０４  プリント指示テーブル更新部
２０５  プリント処理部
３５１  画像データ
３５２  送信指示テーブル
【図１】
0003605700.tif 000002
【図２】
0003605700.tif 000003
【図３】
0003605700.tif 000004
【図４】
0003605700.tif 000005
【図５】
0003605700.tif 000006
【図６】
0003605700.tif 000007
【図７】
0003605700.tif 000008
【図８】
0003605700.tif 000009
【図９】
0003605700.tif 000010
【図１０】
0003605700.tif 000011
【図１１】
0003605700.tif 000012